(57)【要約】【課題】缶の飲み口を簡便に覆うことができる缶用キャップを提供する。【解決手段】缶用キャップ１０は、缶２０の飲み口側外周縁２１に圧着嵌合して、缶２０との間に空間を開けて缶２０の上面を覆う吸盤体１１を備えている。吸盤体１１の缶２０との対向側には、缶２０の飲み口２３から缶２０の中に挿入して飲み口２３を閉鎖する閉鎖部材１２が配設されている。吸着体１１には、吸盤体１１の缶側と外側とを連通する通気口１１Ｆが設けられ、吸盤体１１を押圧して吸盤体１１と缶２０との間の空気を抜き、栓１３で閉鎖して吸盤体１１を缶２０に吸着させることができるようになっている。【選択図】図１
2012245981.tif 000002
【特許請求の範囲】
【請求項１】
柔軟性を有する樹脂により形成され、缶の飲み口側外周縁に圧着嵌合して、缶との間に空間を開けて缶の上面を覆う吸盤体と、
この吸盤体に配設され、柔軟性を有する樹脂よりなり、缶の飲み口から缶の中に挿入して缶の飲み口を閉鎖する閉鎖部材と、
前記吸盤体の缶側と外側とを連通するように設けられた通気口を閉鎖する栓とを備え、
前記閉鎖部材を缶の飲み口に挿入し、前記吸盤体を缶の飲み口側外周縁に嵌合して、前記吸盤体を押圧して前記吸盤体と缶との間の空気を通気口から抜き、前記栓で通気口を閉鎖することにより前記吸盤体を缶に固定する
ことを特徴とする缶用キャップ。
【請求項２】
前記吸盤体の上面に、前記吸盤体を押圧するための押圧部材を備えたことを特徴とする請求項１記載の缶用キャップ。
【発明の詳細な説明】
【技術分野】
【０００１】
本発明は、缶に形成された飲み口を覆う缶用キャップに関する。
【背景技術】
【０００２】
飲料を収納する缶としては、例えば、アルミニウムなどの金属製の缶体の上部に、切り込みを入れた蓋体を圧着したものが広く用いられている。このような缶では、蓋体に取り付けられた引き上げ環を引き上げることにより、蓋体の切り込みを開口して飲み口を形成し、この飲み口から中の飲料を飲むことができるようになっている。しかしながら、このような缶では、蓋がないので、コーラやビールなどの炭酸ガスや発酵ガスなどを含む飲料の場合、飲みかけの状態で置いておくと、炭酸ガスや発酵ガスが抜けてしまい、風味が低下してしまうという問題があった。また、飲み口から埃なども入りやすく、転倒時に中の飲料がこぼれてしまうという問題もあった。
【先行技術文献】
【特許文献】
【０００３】
【特許文献１】特開平８−３２４６０３号公報
【発明の概要】
【発明が解決しようとする課題】
【０００４】
本発明は、このような問題に基づきなされたものであり、缶の飲み口を簡便に覆うことができる缶用キャップを提供することを目的とする。
【０００５】
なお、このような缶用キャップとしては、缶の飲み口側外周縁に圧着嵌合するキャップ本体に、缶の飲み口に合致するように開口部を形成し、この開口部に着脱自在に嵌合する蓋体を設け、この蓋体に小孔を形成し、蓋体の内面に多孔質材を付設したものが知られている（例えば、特許文献１参照）。しかし、本発明は、缶の飲み口から缶の中に挿入して缶の飲み口を閉鎖する閉鎖部材を備えているのに対して、特許文献１に記載の缶用キャップは、該当する部材を備えておらず、本発明とは構成が全く異なっている。
【課題を解決するための手段】
【０００６】
本発明の缶用キャップは、柔軟性を有する樹脂により形成され、缶の飲み口側外周縁に圧着嵌合して、缶との間に空間を開けて缶の上面を覆う吸盤体と、この吸盤体に配設され、柔軟性を有する樹脂よりなり、缶の飲み口から缶の中に挿入して缶の飲み口を閉鎖する閉鎖部材と、吸盤体の缶側と外側とを連通するように設けられた通気口を閉鎖する栓とを備え、閉鎖部材を缶の飲み口に挿入し、吸盤体を缶の飲み口側外周縁に嵌合して、吸盤体を押圧して吸盤体と缶との間の空気を通気口から抜き、栓で通気口を閉鎖することにより吸盤体を缶に固定するものである。
【発明の効果】
【０００７】
本発明の缶用キャップによれば、閉鎖部材により缶の飲み口を閉鎖すると共に、缶の上面を吸盤体で覆い、吸盤体と缶との間の空気を通気口から抜き、吸盤体を缶に吸着させることができるようにしたので、簡単な構成で強固に飲み口を閉鎖することができる。よって、飲みかけで置いておいても、炭酸ガスや発酵ガスなどが抜けてしまうことを防止することができる。また、飲み口から埃などが入ることも防止することができる。更に、転倒しても、飲料がこぼれてしまうことを防止することができると共に、飲料が缶と吸盤体との間に出てしまい、缶が汚れてしまうことを防止することができる。
【図面の簡単な説明】
【０００８】
【図１】本発明の一実施の形態に係る缶用キャップの構成を表す断面図である。
【図２】図１に示した缶用キャップの使用状態を表す断面図である。
【発明を実施するための形態】
【０００９】
以下、本発明の実施の形態について、図面を参照して詳細に説明する。
【００１０】
図１は、本発明の一実施の形態に係る缶用キャップの断面構成を表わすものである。この缶用キャップ１０は、缶２０の飲み口側外周縁２１に圧着嵌合して缶２０の上面を覆う吸盤体１１を備えている。吸盤体１１は、例えば、柔軟性を有する樹脂により構成されている。このような材料としては、例えば、ポリ塩化ビニル又はＴＰＥ（熱可塑性エラストマー）樹脂が挙げられる。吸盤体１１の缶２０との対向側には、缶２０の上面との間に空間を形成するための凹部１１Ａが形成されている。吸盤体１１の周縁部には、例えば、飲み口側外周縁２１に嵌合される溝１１Ｂが全周にわたって形成されている。溝１１Ｂの外周面には、例えば、飲み口側外周縁２１の外周側基部に設けられている段差部２２に係止するように突出された鉤爪部１１Ｃが形成されている。
【００１１】
吸盤体１１の缶２０との対向側には、また、例えば、缶２０の飲み口２３に対応するように、飲み口２３の近傍まで突出された突起部１１Ｄが形成されている。この突起部１１Ｄには、例えば、缶２０との対向側に、缶２０の飲み口２３から缶２０の中に挿入して缶２０の飲み口２３を閉鎖する閉鎖部材１２が配設されている。閉鎖部材１２は、例えば、柔軟性を有する樹脂により形成され、吸盤体１１と同一の材料で構成されてもよいが、異なる材料で構成されてもよく、シリコーンなどにより構成されることが好ましい。閉鎖部材１２は、吸盤体１１と一体で形成されていてもよく、また、別体で形成されたものを接合するようにしてもよい。閉鎖部材１２の大きさは、飲み口２３よりも若干大きく形成されており、閉鎖部材１２の周縁部が飲み口２３の内側外周部に密着し、飲み口２３を密閉することができるようになっている。閉鎖部材１２の周縁部は、厚み方向、すなわち缶２０への挿入方向に向かって丸められ、丸みを帯びていることが好ましい。飲み口２３への出し入れを容易とするためである。なお、閉鎖部材１２の周縁部は、全周にわたって丸められていてもよいが、飲み口２３の外周側の一部を丸めるようにしてもよい。高い密着性を得られると共に、飲み口２３への出し入れを容易とすることができるからである。
【００１２】
吸盤体１１には、また、凹部１１Ａに対応する位置に、吸盤体１１の缶側と外側とを連通するように通気口１１Ｆが設けられている。通気口１１Ｆには、通気口１１Ｆを閉鎖する栓１３が着脱可能に配設されている。栓１３は、例えば、柔軟性を有する樹脂により形成されることが好ましい。栓１３と吸盤体１１とは、柔軟性を有する樹脂よりなるひも状または棒状の連結部材１４により連結されていることが好ましい。吸盤体１１、栓１３および連結部材１４は、一体で形成されていてもよく、また、別体で形成されたものを接合するようにしてもよい。吸盤体１１には、更に、例えば、上面の凹部に対応する位置に、吸盤体１１を押圧するための押圧部材１５が設けられていることが好ましい。
【００１３】
図２はこの缶用キャップ１０の使用状態を表すものである。この缶用キャップ１０では、まず、閉鎖部材１２を缶２０の飲み口２３に挿入し、飲み口２３を密閉する。次いで、吸盤体１１の周縁部の溝１１Ｂを缶２０の飲み口側外周縁２１に嵌合する。続いて、押圧部材１５を押圧して吸盤体１１を押圧し、吸盤体１１と缶２０との間の空気を通気口１１Ｆから抜く。そののち、栓１３で通気口１１Ｆを閉鎖し、吸盤体１１を缶２０に吸着させて固定する。また、缶用キャップ１０を取る際には、栓１３を通気口１１Ｆから抜き、吸盤体１１の凹部１１Ａに空気を入れて吸盤体１１を缶２０から取り外し、閉鎖部材１２を飲み口２３から取り出す。
【００１４】
このように本実施の形態によれば、閉鎖部材１２により缶２０の飲み口２３を閉鎖すると共に、缶２０の上面を吸盤体１１で覆い、吸盤体１１と缶２０との間の空気を通気口１１Ｆから抜き、吸盤体１１を缶２０に吸着させることができるようにしたので、簡単な構成で強固に飲み口２３を閉鎖することができる。よって、飲みかけで置いておいても、炭酸ガスや発酵ガスなどが抜けてしまうことを防止することができる。また、飲み口２３から埃などが入ることも防止することができる。更に、転倒しても、飲料がこぼれてしまうことを防止することができると共に、飲料が缶２０と吸盤体１１との間に出てしまい、缶２０が汚れてしまうことを防止することができる。
【００１５】
また、吸盤体１１の上面に、吸盤体１１を押圧するための押圧部材１５を設けるようにすれば、吸盤体１１を容易に押圧することができる。よって、吸盤体１１を缶２０に容易に吸着させることができる。
【００１６】
以上、実施の形態を挙げて本発明を説明したが、本発明は上記実施の形態に限定されるものではなく、種々変形可能である。例えば、上記実施の形態で説明した各構成要素を全て備えていなくてもよく、また、他の構成要素を備えていてもよい。更に、上記実施の形態では、各構成要素について具体的に構造を説明したが、他の構造を有するように構成してもよい。
【産業上の利用可能性】
【００１７】
缶の飲み口を閉鎖する缶用キャップに用いることができる。
【符号の説明】
【００１８】
１０…蓋用キャップ、１１…吸盤体、１１Ａ…凹部、１１Ｂ…溝、１１Ｃ…鉤爪部、１１Ｄ…突起部、１１Ｆ…通気口、１２…閉鎖部材、１３…栓、１４…連結部材、１５…押圧部材、２０…缶、２１…飲み口側外周縁、２２…段差部、２３…飲み口
【図１】
2012245981.tif 000003
【図２】
2012245981.tif 000004
【手続補正書】
【提出日】平成23年12月28日(2011.12.28)
【手続補正１】
【補正対象書類名】特許請求の範囲
【補正対象項目名】全文
【補正方法】変更
【補正の内容】
【特許請求の範囲】
【請求項１】
柔軟性を有する樹脂により形成され、缶の飲み口側外周縁に圧着嵌合して、缶との間に空間を開けて缶の上面を覆う吸盤体と、
この吸盤体に配設され、柔軟性を有する樹脂よりなり、缶の飲み口から缶の中に挿入して缶の飲み口を閉鎖する閉鎖部材と、
前記吸盤体の缶側と外側とを連通するように設けられた通気口を閉鎖する栓とを備え、
前記吸盤体の缶との対向側には、缶の上面との間に空間を形成するための凹部が形成され、
前記吸盤体の上面には、前記凹部に対応する位置に、前記吸盤体を押圧するための押圧部材が設けられ、
前記閉鎖部材を缶の飲み口に挿入し、前記吸盤体を缶の飲み口側外周縁に嵌合して、前記吸盤体を押圧して前記吸盤体と缶との間の空気を通気口から抜き、前記栓で通気口を閉鎖することにより前記吸盤体を缶に固定する
ことを特徴とする缶用キャップ。
【手続補正２】
【補正対象書類名】明細書
【補正対象項目名】０００６
【補正方法】変更
【補正の内容】
【０００６】
本発明の缶用キャップは、柔軟性を有する樹脂により形成され、缶の飲み口側外周縁に圧着嵌合して、缶との間に空間を開けて缶の上面を覆う吸盤体と、この吸盤体に配設され、柔軟性を有する樹脂よりなり、缶の飲み口から缶の中に挿入して缶の飲み口を閉鎖する閉鎖部材と、吸盤体の缶側と外側とを連通するように設けられた通気口を閉鎖する栓とを備え、吸盤体の缶との対向側には、缶の上面との間に空間を形成するための凹部が形成され、吸盤体の上面には、凹部に対応する位置に、吸盤体を押圧するための押圧部材が設けられ、閉鎖部材を缶の飲み口に挿入し、吸盤体を缶の飲み口側外周縁に嵌合して、吸盤体を押圧して吸盤体と缶との間の空気を通気口から抜き、栓で通気口を閉鎖することにより吸盤体を缶に固定するものである。